(57)【要約】【課題】車両の制御情報を収集するセンサを車両に設置する必要がなく、停車を示すデータの内容を判定することができる走行データ判定装置を提供する。【解決手段】道路情報ＤＢ７３は、道路の始点側と終点側の交差点情報と道路区間の種別や終点側交差点の道路の接続情報などからなる道路情報を備え、交通情報生成部７４は走行履歴ＤＢ７２に記録した車両の走行履歴情報と道路情報の比較を行い、車両が停車時の位置から交差点付近と交差点付近以外の判定を行い、交差点付近での停車は信号待ちの候補とし、交差点付近以外の停車は駐停車の候補とし、さらに停車した位置の前後の走行履歴情報から、停車した位置の前後の渋滞の有無を判定し、前記候補を渋滞が存在する場合には渋滞による停車とによる走行履歴情報と判定し、渋滞が無い場合には、前記候補をそれぞれ信号待ちと駐停車を表す走行履歴情報と判定し交通情報ＤＢ７５に記録する。【選択図】図１
2006059058.tif 000002
【特許請求の範囲】
【請求項１】
移動体の走行データを取得する走行データ取得手段と、前記走行データ取得手段が取得した走行データを解析する走行データ解析手段と、前記移動体が走行した走行路の走行路情報を取得する走行路情報取得手段と、前記走行データ解析手段が前記走行データを解析し停車を示すデータを検出した場合に、前記走行路情報取得手段で取得した走行路情報に基づき、前記停車を示すデータの内容を判定する停車内容判定手段と、を含み、前記走行路は、始点側交差点から終点側交差点までの走行区間の集合で構成され、前記停車内容判定手段は、前記停車を示すデータが前記終点側交差点の近傍の場合は信号待ち情報の候補と判定し、前記停車を示すデータが前記終点側交差点の近傍以外の場合は駐停車情報の候補と判定することを特徴とする走行データ判定装置。
【請求項２】
前記走行データ取得手段は、前記移動体からの走行データを無線通信手段によって受信することにより取得することを特徴とする請求項１記載の走行データ判定装置。
【請求項３】
前記走行路情報は、走行路の種別情報あるいは走行路の幅員情報の少なくとも一方を含み、前記停車内容判定手段は、前記走行路の種別情報あるいは前記走行路の幅員情報の少なくとも一方を加味して前記信号待ち情報の候補もしくは前記駐停車情報の候補と判定することを特徴とする請求項１または請求項２記載の走行データ判定装置。
【請求項４】
前記走行データ解析手段が、検出した停車を示すデータの前側および後側の走行データに渋滞を示すデータを検出した場合は、前記停車内容判定手段は、前記停車を示すデータを含めて渋滞状態と判定することを特徴とする請求項１乃至請求項３のいずれかに記載の走行データ判定装置。
【請求項５】
前記停車内容判定手段が、前記信号待ち情報の候補と判定し、さらに、前記走行データ解析手段が当該走行データの解析結果に渋滞を示すデータを検出せず、かつ、当該終点側交差点に信号機が設置されている場合に、前記停車内容判定手段は、前記信号待ち情報の候補を信号待ち状態と判定することを特徴とする請求項１乃至請求項３のいずれかに記載の走行データ判定装置。
【請求項６】
前記停車内容判定手段が、前記駐停車情報の候補と判定し、さらに、前記走行データ解析手段が当該走行データの解析結果に渋滞を示すデータを検出しない場合に、前記停車内容判定手段は、前記駐停車情報の候補を第１の駐停車状態と判定することを特徴とする請求項１乃至請求項３のいずれかに記載の走行データ判定装置。
【請求項７】
前記停車内容判定手段が、前記信号待ち情報の候補と判定し、さらに、前記走行データ解析手段が当該走行データの解析結果に渋滞を示すデータを検出せず、かつ、当該終点側交差点に信号機が設置されていない場合に、前記走行路情報取得手段で取得した走行路情報に基づき前記移動体が走行した走行路の種別と、前記移動体が走行した走行路の終点側交差点に接続されている走行路との比較を行い、前記移動体が走行した走行路が優先走行路の場合は、前記信号待ち情報の候補を第２の駐停車状態と判定し、前記移動体が走行した走行路が優先道路ではない場合は、前記信号待ち情報の候補を交差点での一時停止による停車状態と判定することを特徴とする請求項１乃至請求項３のいずれかに記載の走行データ判定装置。
【請求項８】
前記走行路情報は、前記走行路の種別情報あるいは前記走行路の幅員情報の少なくとも一方を含み、前記停車内容判定手段は、前記走行路の種別情報あるいは前記走行路の幅員情報の少なくとも一方を加味して、前記信号待ち状態、前記第１の駐停車状態、前記第２の駐停車状態、あるいは、前記停車状態を判定することを特徴とする請求項５乃至請求項７
のいずれかに記載の走行データ判定装置。
【請求項９】
前記走行データ解析手段は、検出した停車を示すデータの前側に位置する走行データの速度変化が少ない場合は、前記停車内容判定手段は、前記停車を示すデータを信号待ち停車前の低速走行状態と判定し、渋滞状態と判定しないことを特徴とする請求項４乃至請求項８のいずれかに記載の走行データ判定装置。
【請求項１０】
前記走行データ解析手段は、検出した停車を示すデータの前側に位置する走行データの速度変化が多い場合は、走行状態を交差点の近傍における渋滞状態での低速走行状態と判定し、前記停車内容判定手段は、前記検出した停車を示すデータを交差点付近の渋滞状態と判定することを特徴とする請求項４乃至請求項８のいずれかに記載の走行データ判定装置。
【請求項１１】
前記走行区間を走行するのに要する走行時間を算出する走行時間算出手段を含み、前記走行時間は、前記信号待ち状態の時間と、前記第１および前記第２の駐停車状態の時間と、前記停車状態の時間とを除いて算出することを特徴とする請求項５乃至請求項１０のいずれかに記載の走行データ判定装置。
【請求項１２】
前記終点側交差点に接続されている走行路の接続方向に基づき前記移動体の右折と左折の少なくとも一方の判定を行う右左折判定手段と、前記右左折判定手段が判定した右折待ち時間または左折待ち時間を算出する右左折待ち時間算出手段と、を含み、前記右折待ち時間または前記左折待ち時間は、右折あるいは左折に要する時間から、前記信号待ち状態の時間と、前記第１および前記第２の駐停車状態の時間と、前記停車状態の時間とを除いて算出することを特徴とする請求項５乃至請求項１１記載のいずれかに記載の走行データ判定装置。
【発明の詳細な説明】
【技術分野】
【０００１】
自動車等の移動体の走行データを取得し、移動体が走行した走行路の走行路情報に基づき、取得した走行データを解析し、停車を示すデータの内容の判定を行う走行データ判定装置に関する。
【背景技術】
【０００２】
従来の走行データ判定装置は、自動車といった移動体の走行データに基づき、道路交通網の渋滞状況や特定の道路区間内の所要時間を算出して交通情報として生成し、生成した交通情報を運転者に提供したり、交通管制に利用する技術が存在している。
【０００３】
その中で、自動車の走行情報から、交通流を正しく判定するため、渋滞に該当しない駐停車や信号待ちなどを表す走行情報を検出する技術が検討されている（例えば特許文献１参照）。
【０００４】
また、車両速度が０ｋｍ／ｈの状態が規定値以上であり、車両にハンドルの舵角センサやドア開閉センサ、タクシーの賃走センサなど、車両の制御情報を検出し、駐停車を判定する。信号の変化サイクル情報を地図データベース内の交差点情報に付加し、車両の速度が０ｋｍ／ｈの状態である場合に、信号サイクルからの判定結果で交差点が通過できない場合には信号待ち状態であると判定する技術が開示されている（例えば特許文献２参照）。
【特許文献１】特開２０００−４８３００号公報
【特許文献２】特開２００３−２８１６７４号公報
【発明の開示】
【発明が解決しようとする課題】
【０００５】
しかしながら、従来の走行データ判定装置においては、停車の内容を判定するための車両の制御情報を収集するセンサを車両に設置する必要があり、車両によってはセンサの装着が困難であったり、また、車種が異なれば車両の制御状況が異なるため、専用のセンサの設置や判定処理が必要になる場合があった。
【０００６】
本発明は、従来の問題を解決するためになされたもので、車両の制御情報を収集するセンサを車両に設置する必要がなく、停車を示すデータの内容を判定することができる走行データ判定装置を提供することを目的とする。
【課題を解決するための手段】
【０００７】
本発明の走行データ判定装置は、移動体の走行データを取得する走行データ取得手段と、走行データ取得手段が取得した走行データを解析する走行データ解析手段と、移動体が走行した走行路の走行路情報を取得する走行路情報取得手段と、走行データ解析手段が走行データを解析し停車を示すデータを検出した場合に、走行路情報取得手段で取得した走行路情報に基づき、停車を示すデータの内容を判定する停車内容判定手段と、を含み、走行路が、始点側交差点から終点側交差点までの走行区間の集合で構成され、停車内容判定手段で、停車を示すデータが終点側交差点の近傍の場合は信号待ち情報の候補と判定し、停車を示すデータが終点側交差点の近傍以外の場合は駐停車情報の候補と判定する構成を有している。
【０００８】
この構成により、停車を示すデータの内容が、信号待ち情報の候補か、駐停車情報の候補かを判定することができる。
【０００９】
また、本発明の走行データ判定装置は、走行データ取得手段が、移動体からの走行データを無線通信手段によって受信することにより取得する構成を有している。この構成により、移動体から離れた装置でも停車を示すデータの候補を判定することができる。
【００１０】
また、本発明の走行データ判定装置は、走行路情報が、走行路の種別情報あるいは走行路の幅員情報の少なくとも一方を含み、停車内容判定手段が、走行路の種別情報あるいは走行路の幅員情報の少なくとも一方を加味して信号待ち情報の候補もしくは駐停車情報の候補と判定する構成を有している。この構成により、走行路の種別情報や幅員情報を加味した、より精度の高い判定をすることができる。
【００１１】
また、本発明の走行データ判定装置は、走行データ解析手段が、検出した停車を示すデータの前側および後側の走行データに渋滞を示すデータを検出した場合に、停車内容判定手段が、停車を示すデータを含めて渋滞状態と判定する構成を有している。この構成により、渋滞による停車を含めて渋滞状態を走行データから識別できる。
【００１２】
また、本発明の走行データ判定装置は、停車内容判定手段が、信号待ち情報の候補と判定し、さらに、走行データ解析手段が当該走行データの解析結果に渋滞を示すデータを検出せず、かつ、当該終点側交差点に信号機が設置されている場合に、停車内容判定手段が、信号待ち情報の候補を信号待ち状態と判定する構成を有している。この構成により、信号待ち状態を的確に判定することができる。
【００１３】
また、本発明の走行データ判定装置は、停車内容判定手段が、駐停車情報の候補と判定し、さらに、走行データ解析手段が当該走行データの解析結果に渋滞を示すデータを検出しない場合に、停車内容判定手段が、駐停車情報の候補を第１の駐停車状態と判定する構成を有している。この構成により、駐停車状態を的確に判定することができる。
【００１４】
また、本発明の走行データ判定装置は、停車内容判定手段が、信号待ち情報の候補と判定し、さらに、走行データ解析手段が当該走行データの解析結果に渋滞を示すデータを検出せず、かつ、当該終点側交差点に信号機が設置されていない場合に、走行路情報取得手段で取得した走行路情報に基づき移動体が走行した走行路の種別と、移動体が走行した走行路の終点側交差点に接続されている走行路との比較を行い、移動体が走行した走行路が優先走行路の場合は、信号待ち情報の候補を第２の駐停車状態と判定し、移動体が走行した走行路が優先道路ではない場合は、信号待ち情報の候補を交差点での一時停止による停車状態と判定する構成を有している。
【００１５】
この構成により、一時停止による停車状態と駐停車状態とを的確に判定することができる。
【００１６】
また、本発明の走行データ判定装置は、走行路情報が、走行路の種別情報あるいは走行路の幅員情報の少なくとも一方を含み、停車内容判定手段が、走行路の種別情報あるいは走行路の幅員情報の少なくとも一方を加味して、信号待ち状態、第１の駐停車状態、第２の駐停車状態、あるいは、停車状態を判定する構成を有している。この構成により、走行路の種別情報や幅員情報を加味した走行データ判定を行うことができる。
【００１７】
また、本発明の走行データ判定装置は、走行データ解析手段が、検出した停車を示すデータの前側に位置する走行データの速度変化が少ない場合に、停車内容判定手段が、停車を示すデータを信号待ち停車前の低速走行状態と判定し、渋滞状態と判定しない構成を有している。この構成により、渋滞による低速走行状態から停車前の低速走行状態を分離することができる。
【００１８】
また、本発明の走行データ判定装置は、走行データ解析手段が、検出した停車を示すデータの前側に位置する走行データの速度変化が多い場合に、走行状態を交差点の近傍における渋滞状態での低速走行状態と判定し、停車内容判定手段が、検出した停車を示すデータを交差点付近の渋滞状態と判定する構成を有している。この構成により、停車前の低速走行状態から渋滞による低速走行状態を分離することができる。
【００１９】
また、本発明の走行データ判定装置は、走行区間を走行するのに要する走行時間を算出する走行時間算出手段を含み、走行時間が、信号待ち状態の時間と、第１および第２の駐停車状態の時間と、停車状態の時間とを除いて算出する構成を有している。この構成により、移動体の走行データから信号待ち状態の時間と、第１および第２の駐停車状態の時間と、停車状態の時間といった交通流の影響を除いた地点間の所要時間を算出できる。
【００２０】
さらに、本発明の走行データ判定装置は、終点側交差点に接続されている走行路の接続方向に基づき移動体の右折と左折の少なくとも一方の判定を行う右左折判定手段と、右左折判定手段が判定した右折待ち時間または左折待ち時間を算出する右左折待ち時間算出手段と、を含み、右折待ち時間または左折待ち時間が、右折あるいは左折に要する時間から、信号待ち状態の時間と、第１および第２の駐停車状態の時間と、停車状態の時間とを除いて算出する構成を有している。
【００２１】
この構成により、移動体の走行データから、交通流の影響を除いた右折あるいは左折待ち時間を算出できる。
【発明の効果】
【００２２】
本発明は、移動体の走行データを取得する走行データ取得手段と、走行データ取得手段が取得した走行データを解析する走行データ解析手段と、移動体が走行した走行路の走行路情報を取得する走行路情報取得手段と、走行データ解析手段が走行データを解析し停車を示すデータを検出した場合に、走行路情報取得手段で取得した走行路情報に基づき、停車を示すデータの内容を判定する停車内容判定手段と、を含み、走行路が、始点側交差点から終点側交差点までの走行区間の集合で構成され、停車内容判定手段で、停車を示すデータが終点側交差点の近傍の場合は信号待ち情報の候補と判定し、停車を示すデータが終点側交差点の近傍以外の場合は駐停車情報の候補と判定する構成を有することにより、停車を示すデータの内容が、信号待ち情報の候補か、駐停車情報の候補かを判定することができるという効果を有する走行データ判定装置を提供することができるものである。
【発明を実施するための最良の形態】
【００２３】
以下、本発明の実施の形態の走行データ判定装置について、図面を用いて説明する。
【００２４】
本発明の一実施形態の走行データ判定装置を含むプローブカー情報システムのブロック図を図１に示す。
【００２５】
図１において、プローブカー情報システムは、走行履歴を収集する対象の車両に、自車両の走行履歴を収集する装置である走行履歴収集端末１と、ＧＰＳ、角速度センサ、車速センサといった車両センサ２と、走行データ判定装置である走行履歴収集センタ７と狭域通信方式で通信する狭域無線通信部３と、走行履歴収集センタ７と広域通信方式で通信する広域無線通信部４とを搭載し、センタ側に、狭域無線通信部３と通信する路側機５と、広域無線通信部４と通信する広域無線通信部６と、走行履歴を収集し走行データを判定する走行履歴収集センタ７とを備える。
【００２６】
走行履歴収集端末１は、車両センサ２で検出した車両の動作情報を取得する車両情報収
集部１１と、車両情報収集部１１が取得した車両情報から走行履歴を生成し走行履歴ＤＢ１３に記録する走行履歴記録部１２と、走行履歴を蓄積する走行履歴ＤＢ１３と、走行履歴内に送信区間がある場合に狭域無線通信部３と広域無線通信部４との選択を行う機能と走行履歴から走行履歴収集センタ７に送信する送信データを作成する機能と狭域無線通信部３と広域無線通信部４の制御を行う機能とを有する走行履歴送信部１４とを備えている。
【００２７】
車両センサ２は、衛星を利用して位置を測位するＧＰＳ機能、車両の旋回度を検出する角速度センサ、車両の速度を検出する車速センサ等より、車両の位置情報や走行方向、車両速度の検出を行う機能を備えている。狭域無線通信部３は、光ビーコンや電波ビーコン、ＤＳＲＣ等の路上に設置された装置である路側機５との間で狭域の無線通信によりデータ通信を行う機能を備えている。
【００２８】
広域無線通信部４は、携帯電話やデジタルＭＣＡ等の広域の無線通信インフラである広域無線通信部６との間の無線通信によりデータ通信を行う機能を備えている。路側機５は、車両に搭載された狭域無線通信部３との間で狭域の無線通信方式により、データ通信を行う機能を備えている。広域無線通信部６は、車両に搭載した携帯電話やデジタルＭＣＡ等の広域無線通信部４との間の無線通信によりデータ通信を行う機能を備えている。
【００２９】
走行履歴収集センタ７は、狭域無線通信部３と広域無線通信部４とから路側機５や広域無線部６を介して、複数の走行履歴収集端末１から各車両の走行履歴の受信を行う走行履歴受信部７１と、受信した走行履歴を蓄積する走行履歴ＤＢ７２と、道路の種別や交差点の位置、道路の接続関係を記録した道路情報ＤＢ７３と、受信した走行車両の走行履歴に含まれる位置情報や速度情報、走行方向等の情報より、道路網について地点間の移動に必要な所要時間や渋滞状況等の道路状況や信号待ちや駐停車の算出を行う交通情報生成部７４と、算出した所要時間や渋滞状況等の道路情報を該当する道路区間と走行履歴が前記端末で検出された時間帯毎に蓄積する交通情報ＤＢ７５とを備えている。
【００３０】
交通情報生成部７４は、走行履歴ＤＢ７２に蓄積している走行履歴と道路情報ＤＢ７３との比較を行い、道路区間に該当する走行履歴を特定した上で道路区間内の車両の速度と検出位置から走行状態を解析し、信号待ちや駐停車の判別を行う。交通情報生成部７４における信号待ちと駐停車の判別は、走行履歴ＤＢ７２に蓄積している走行履歴から、車両が停車状態である地点を検出し、走行履歴と道路情報ＤＢ７３とを比較し、道路区間の出口側交差点付近の停車状態を信号待ちと判別し、道路区間の出口側交差点から離れた地点の停車状態を駐停車と判別する。
【００３１】
さらに、道路区間内の通過に要した時間から、道路区間内における走行履歴の中から信号待ちと駐停車による経過時間を削除することにより、道路区間の所要時間の算出を行う。
【００３２】
以上のように構成された走行データ判定装置を含むプローブカー情報システムにおける信号待ちと駐停車判定方法について、図２から図６を用いてその動作を説明する。
【００３３】
まず、図２において、プローブカー１００の走行履歴を収集し、道路情報と走行履歴の比較を行い、プローブカー１００が走行している道路区間の検索を行う。まず、道路情報の始点側交差点１０１の位置座標と走行履歴の比較を行い、該当する道路区間の候補を抽出する。次に、候補の道路区間の進行方向と走行履歴の進行方向の比較を行い、進行方向が一致する道路区間を特定する。
【００３４】
さらに、特定した道路区間の終点側交差点１０２の位置情報と進行方向の走行履歴の比
較を行い、一致した地点までを道路情報の始点側交差点１０１から終点側交差点１０２までに該当する走行履歴として抽出する。抽出した走行履歴に基づき、位置情報や速度情報などから道路区間の渋滞状況や所要時間の算出を行う。
【００３５】
次に、図３において、プローブカー１００が収集した走行履歴が道路区間の終点側交差点１０２にまで達している場合の交差点での信号待ち判定を行う。道路情報より終点側交差点１０２に信号機１０３ａ〜１０３ｃが設置されている場合、走行履歴と道路情報との比較を行い、道路区間の終点側交差点１０２から規定の距離の範囲内において、規定速度以下の走行履歴が存在する場合、信号待ち状態、あるいは、渋滞区間の走行状態の判定を行う。
【００３６】
渋滞判定の規定速度以下の走行履歴内の走行区間に対し、前後の走行状態を走行履歴を参照し、単純な加減速状態であった場合には信号待ち状態と判定し、速度変動が多い場合や、渋滞判定の規定速度と走行履歴内の走行速度の差が小さい場合には、交差点付近での渋滞区間と判定する。一方、プローブカー１００が収集した走行履歴と道路情報との比較を行い、道路区間の終点側交差点１０２から規定の距離の範囲外において、規定速度以下の走行履歴が存在する場合、駐停車状態、あるいは、渋滞区間の走行状態の判定を行う。
【００３７】
渋滞判定の規定速度以下の走行履歴内の走行区間に対し、前後の走行状態を走行履歴を参照し、単純な加減速状態であった場合には駐停車状態と判定し、速度変動が多い場合や、渋滞判定の規定速度と走行履歴内の走行速度の差が小さい場合には、交差点付近以外での渋滞区間を走行中と判定する。
【００３８】
また、道路情報より終点側交差点１０２に信号機１０３ａ〜１０３ｃが設置されていない場合、走行中道路と走行中道路の終点側交差点１０２に接続している道路の道路種別あるいは幅員の比較を行い、走行中道路が交差点で一時停止が必要な非優先道路の場合には、交差点付近での停車と判定し、停車前の走行状態が渋滞状態の場合には渋滞による停車と交差点での一時停車と判定し、停車前の走行状態が渋滞状態の場合には一時停車と判定する。
【００３９】
さらに、図４において、プローブカー１００が収集した走行履歴が道路区間の終点側交差点１０２にまで達している場合の交差点での右左折時の待ち時間の算出を行う。走行履歴と道路情報との比較を行い、プローブカー１００が終点側交差点１０２を通過している走行履歴を検索し、道路情報内の終点側交差点１０２に接続する道路の接続方向と走行履歴から判定した進行方向の比較を行い、直進や右折や左折の判定を行う。
【００４０】
進行方向が直進であった場合、終点側交差点１０２付近の走行履歴から算出した交差点通過に要した時間を信号待ち時間として算出し、進行方向が右折、あるいは、左折であった場合、それぞれ終点側交差点１０２付近の走行履歴から算出した交差点通過に要した時間を信号待ち時間と右折待ち時間の加算値、および、信号待ち時間と左折待ち時間の加算値として算出する。
【００４１】
前記信号待ち時間と右折待ち時間の加算値と前記信号待ち時間と左折待ち時間の加算値より、前記直進時の走行履歴から算出した信号待ち時間分を差し引くことにより、それぞれ右折待ち時間と左折待ち時間を算出する。
【００４２】
ここで、図５は、道路情報の一実施例である。
【００４３】
図５に示すように、道路区間毎に始点側交差点１０１と終点側交差点１０２の位置情報や道路の種別あるいは幅員、道路区間の区間長や信号の有無や終点側交差点１０２に接続
する道路の接続方向などを道路情報に格納する。始点側交差点位置情報は、道路区間の始点側交差点１０１の座標情報を格納し、走行履歴と比較を行い、道路区間の候補選出に使用する。
【００４４】
終点側交差点位置情報は、道路区間の終点側交差点１０２の座標情報を格納し、走行履歴と比較を行い、道路区間に該当する走行履歴の抽出に使用する。道路種別は、国道や高速道路などの道路の種類を格納し、信号の無い交差点において、交差点における一時停止の有無の判定に使用する。幅員は、道路の幅員情報を格納し、走行速度の上限から、道路区間の渋滞状況の判定に使用する。
【００４５】
区間長は、道路区間の所要時間との比較を行い、幅員と同様に、道路区間の渋滞状況の判定に使用する。終点側交差点信号有無は、道路区間の終点側交差点１０２の信号の有無情報を格納し、終点側交差点１０２付近における停車が信号待ちによるものかどうかの判定に使用する。接続道路数は、終点側交差点１０２における分岐数を格納し、車両（図示せず）が直進、あるいは、右左折したかどうかの判定に使用する。
【００４６】
直進方向、第１の右左折方向、第２の右左折方向は、接続道路数に格納された数に従い格納された接続道路の進行方向を格納し、走行履歴と比較を行い、直進、あるいは、右左折の判定に使用する。
【００４７】
また、図６は道路種別毎の渋滞や信号待ちや駐停車の判定条件の一実施例である。
【００４８】
道路の種別や幅員毎に、渋滞判定の速度の閾値や渋滞区間の最低長の閾値や交差点などの分岐点付近の判定区間の閾値を設定し、渋滞区間や信号待ちや駐停車の判定を道路種別や道路の幅員毎に実行する。渋滞判定区間閾値Ｖｔｒａｆは、道路種別毎に渋滞状態と判定する車両の速度を規定し、渋滞判定区間閾値Ｖｔｒａｆ以下の速度の区間について渋滞状態の道路区間と判定する。
【００４９】
終了判定用走行距離Ｌｅｎｄと終了判定用走行時間Ｔｅｎｄは、道路種別毎に渋滞区間の終了の判定に使用し、車両の速度が渋滞判定区間閾値Ｖｔｒａｆ以下の状態から渋滞判定区間閾値Ｖｔｒａｆ以上の状態に変化した場合に、終了判定用走行距離Ｌｅｎｄ以上の距離、あるいは、終了判定用走行時間Ｔｅｎｄ以上の時間で渋滞判定区間閾値Ｖｔｒａｆ以上を継続した場合、渋滞区間が終了したと判定する。
【００５０】
判定区間最小許容距離Ｌｌｏｗと判定区間最小許容時間Ｔｌｏｗは、車両側の微小変化の除外に使用し、車両の速度が渋滞判定区間閾値Ｖｔｒａｆ以下の継続距離が判定区間最小許容距離Ｌｌｏｗ以下、あるいは、継続時間が判定区間最小許容時間Ｔｌｏｗ以下の場合、渋滞判定区間閾値Ｖｔｒａｆ以下の走行区間を渋滞区間と判定しない。
【００５１】
なお、図７と図８は、本発明の走行データ判定装置の一実施の形態における実施の渋滞区間の判定例の一例であり、前記図５と図６の実施例で示した規定値を使用して渋滞区間を判定する方法を図示したものである。
【００５２】
まず、図７で示す実施の形態では、車両１台の走行履歴について、渋滞区間判定閾値Ｖｔｒａｆ以下となる地点を走行履歴から検索する。図７Ａで示す渋滞区間判定処理例１では、渋滞区間判定閾値Ｖｔｒａｆ以下となる地点７０１が見つかった場合、地点７０１から渋滞区間判定処理を開始し、渋滞区間判定閾値Ｖｔｒａｆ以上となった地点７０２から渋滞区間判定閾値Ｖｔｒａｆ以上の状態が継続する距離と時間を算出する。
【００５３】
渋滞区間判定閾値Ｖｔｒａｆ以上となった状態の継続距離が規定の走行距離Ｌｅｎｄを
越える場合、もしくは、継続時間が規定の走行時間Ｔｅｎｄを超える場合のどちらか一方でも成立するとき、渋滞区間判定処理を終了し、渋滞区間判定処理開始地点から渋滞区間判定閾値Ｖｔｒａｆ以下の状態が継続する距離と時間をそれぞれ判定区間長Ｌｊｕｄｇｅ、判定走行時間Ｔｊｕｄｇｅとし、該当区間を渋滞判定区間とする。
【００５４】
図７Ｂで示す渋滞区間判定処理例２の様に、もし、渋滞区間判定閾値Ｖｔｒａｆ以上となった状態の継続距離７０３ａ〜７０３ｅが規定の走行距離Ｌｅｎｄ以下、かつ、継続時間が規定の走行時間Ｔｅｎｄ以下であり、再び車両の速度が渋滞区間判定閾値Ｖｔｒａｆ以下の状態になった場合、渋滞区間判定処理を継続する。
【００５５】
次に、図８において、図７で算出した判定区間長Ｌｊｕｄｇｅが最小許容距離Ｌｌｏｗを超える場合、あるいは、判定走行時間Ｔｊｕｄｇｅが最小許容時間Ｔｌｏｗを超える場合には、渋滞判定区間を判定対象とする。
【００５６】
渋滞判定区間が判定対象となった場合、該当区間内における渋滞区間判定閾値Ｖｔｒａｆ以下の距離の割合Ｌｌ／Ｌｊｕｄｇｅと該当区間内における渋滞区間判定閾値Ｖｔｒａｆ以下の時間の割合Ｔｌ／Ｔｊｕｄｇｅを算出し、どちらか一方でも渋滞判定基準Ｒｊｕｄｇｅを超える場合、該当区間を渋滞区間とし、どちらも渋滞判定基準Ｒｊｕｄｇｅに達しない場合、非渋滞区間とする。
【００５７】
一方、図７で算出した判定区間長Ｌｊｕｄｇｅが最小許容距離Ｌｌｏｗを超える場合あるいは判定走行時間Ｔｊｕｄｇｅが最小許容時間Ｔｌｏｗを超えるという条件を満たさない場合には、渋滞区間の判定対象外として非渋滞区間とする。
【００５８】
また、他の方法として、走行履歴と渋滞判定区間閾値Vtraf以下の速度状態が規定区間以上継続する場合に渋滞と判定する方法や、低速状態の区間において、規定の割合以上が渋滞判定区間閾値Vtraf以下である場合に渋滞と判定する方法が考えられる。
【００５９】
このような本発明の一実施の形態の走行データ判定装置を含むプローブカー情報システムにおける信号待ちと駐停車判定方法によれば、道路情報として、道路区間の入り口側交差点の位置情報や出口側の交差点の位置情報、道路区間の区間長、出口側交差点での道路接続情報、道路種別あるいは道路の幅員情報、信号の有無等を持ち、道路情報と走行履歴の比較を行い、走行中の道路区間を特定し、終点側交差点到達時に、交差点付近で信号待ち状態と交差点付近での渋滞有無判定を行う手段と、交差点付近以外での駐停車状態と交差点付近での渋滞有無判定を行う手段と、終点側交差点通過時に右左折判定を行い右折待ち時間と左折待ち時間を算出する手段を設けることにより、交通流を表さない駐停車に関する走行履歴を除外することで、道路区間内の渋滞状況や所要時間の算出時の精度を向上させることが可能になり、また交差点での信号待ち時間や右折待ち時間、左折待ち時間を算出することが可能になり、道路情報を詳細に算出することができる。
【００６０】
図９は、本発明の他の実施の形態における走行データ判定装置を含むプローブカー情報システムのブロック図である。
【００６１】
図９は、プローブカー情報システムにおける信号待ちと駐停車判定を車両に搭載する走行履歴収集端末１０で行う点が図１に示すプローブカー情報システムと異なり、本発明の走行データ判定装置は走行履歴収集端末１０により構成される。図９において、図１と同じ構成については同じ符号を用い、説明を省略する。
【００６２】
本実施の形態の走行データ判定装置を含むプローブカー情報システムは、走行履歴を収集する対象の車両に、走行履歴収集端末１０と、車両センサ２と、狭域無線通信部３と広
域無線通信部４とを備え、走行履歴を収集するセンタ側に、路側機５と、広域無線通信部６と、走行履歴収集センタ７とを備える。
【００６３】
走行履歴収集端末１０は、車両センサ２で検出した車両の動作情報を取得する車両情報収集部１１と、車両情報収集部１１が取得した車両情報から走行履歴を生成し走行履歴ＤＢ１３に記録する走行履歴記録部１２と、走行履歴を蓄積する走行履歴ＤＢ１３と、走行履歴内に送信区間がある場合に狭域無線通信部３と広域無線通信部４との選択を行う機能と走行履歴から走行履歴収集センタ７に送信する送信データを作成する機能と狭域無線通信部３と広域無線通信部４の制御を行う機能を有する走行履歴送信部１４と、走行履歴から渋滞区間や駐停車や信号待ちを判定する渋滞区間判定部１５と、道路の種別や交差点の位置、道路の接続関係を記録した道路情報ＤＢ１６とを備えている。
【００６４】
走行履歴収集センタ７０は、狭域無線通信部３と広域無線通信部４とから路側機５や広域無線通信部６を介して、複数の走行履歴収集端末１０から車両の走行履歴の受信を行う走行履歴受信部（図示せず）と、受信した走行履歴を蓄積する走行履歴ＤＢ（図示せず）と、道路の種別や交差点の位置、道路の接続関係を記録した道路情報ＤＢ（図示せず）と、受信した走行車両の走行履歴に含まれる位置情報や速度情報、走行方向等の情報より、道路網について地点間の移動に必要な所要時間や渋滞状況等の道路状況の算出を行う交通情報生成部（図示せず）と、算出した所要時間や渋滞状況等の道路情報を該当する道路区間と走行履歴が前記端末で検出された時間帯毎に蓄積する交通情報ＤＢ（図示せず）とを備えている。
【００６５】
渋滞区間判定部１５は、前記図１の実施例で説明した交通情報生成部７４と同様に、走行履歴ＤＢ１３に蓄積している走行履歴と道路情報ＤＢ１６との比較を行い、道路区間に該当する走行履歴を特定した上で道路区間内の車両の速度と検出位置から走行状態を解析し、信号待ちや駐停車の判別を行う。
【００６６】
渋滞区間判定部１５における信号待ちと駐停車の判別は、走行履歴ＤＢ１３に蓄積している走行履歴から、車両が停車状態である地点を検出し、道路情報ＤＢ１６の比較し、道路区間の出口側交差点付近の停車状態を信号待ちと判別し、道路区間の出口側交差点から離れた地点の停車状態を駐停車と判別する。さらに、道路区間内の通過に要した時間から道路区間内における走行履歴の中から信号待ちと駐停車による経過時間を削除することにより、道路区間の所要時間の算出を行う。
【００６７】
本実施の形態の走行データ判定装置を含むプローブカー情報システムによる信号待ちと駐停車判定方法によれば、図１で示す第１の実施の形態と同様に、交通流を表さない駐停車に関する走行履歴を、除外することで、道路区間内の渋滞状況や所要時間の算出時の精度を向上させることが可能になり、また交差点での信号待ち時間や右折待ち時間、左折待ち時間を算出することが可能になり、道路情報を詳細に算出することができる。
【００６８】
さらに、道路状況を表さない駐停車に関する走行履歴を、車両から収集センタに広域無線通信部４や狭域無線通信部３を用いて送信しないことにより、これらの無線通信手段の通信網に対する通信負荷を軽減することができる。
【００６９】
なお、本実施の形態では、走行履歴収集端末と走行履歴収集センタとの間の通信が広域通信方式による無線通信と狭域通信方式による無線通信方式の両方を備えている場合で説明したが、本発明はこれに限定されることなく、少なくとも一つの通信手段を備えていれば良い。
【産業上の利用可能性】
【００７０】
以上のように、本発明にかかる走行データ判定装置を含むプローブカー情報システムは、移動体の走行データを取得する走行データ取得手段と、走行データ取得手段が取得した走行データを解析する走行データ解析手段と、移動体が走行した走行路の走行路情報を取得する走行路情報取得手段と、走行データ解析手段が走行データを解析し停車を示すデータを検出した場合に、走行路情報取得手段で取得した走行路情報に基づき、停車を示すデータの内容を判定する停車内容判定手段と、を含み、走行路が、始点側交差点から終点側交差点までの走行区間の集合で構成され、停車内容判定手段で、停車を示すデータが終点側交差点の近傍の場合は信号待ち情報の候補と判定し、停車を示すデータが終点側交差点の近傍以外の場合は駐停車情報の候補と判定する構成を有することにより、停車を示すデータの内容が、信号待ち情報の候補か、駐停車情報の候補かを判定することができるという効果を有し、自動車等の移動体の走行データを取得し、移動体が走行した走行路の走行路情報に基づき、取得した走行データを解析し、停車を示すデータの内容の判定を行う走行データ判定装置等として有用である。
【図面の簡単な説明】
【００７１】
【図１】本発明の一実施形態の走行データ判定装置を含むプローブカー情報システムのブロック図
【図２】本発明の一実施形態の走行データ判定装置を含むプローブカー情報システムにおける道路区間内の走行履歴の抽出模式図
【図３】本発明の一実施形態の走行データ判定装置を含むプローブカー情報システムにおける信号による停車判定模式図
【図４】本発明の一実施形態の走行データ判定装置を含むプローブカー情報システムにおける右折時の待ち状態判定模式図
【図５】本発明の一実施形態の走行データ判定装置を含むプローブカー情報システムにおける道路情報データベース構成例を示す図
【図６】本発明の一実施形態の走行データ判定装置を含むプローブカー情報システムにおける判定条件例を示す図
【図７】（Ａ）本発明の一実施形態の走行データ判定装置を含むプローブカー情報システムにおける渋滞区間判定処理例１を示す図（Ｂ）本発明の一実施形態の走行データ判定装置を含むプローブカー情報システムにおける渋滞区間判定処理例２を示す図
【図８】本発明の一実施形態の走行データ判定装置を含むプローブカー情報システムにおける渋滞区間判定処理例を示す図
【図９】本発明の他の実施形態の走行データ判定装置を含むプローブカー情報システムのシステム構成例を示す図
【符号の説明】
【００７２】
１、１０  走行履歴収集端末
２  車両センサ
３  狭域無線通信部
４、６  広域無線通信部
５  路側機
７、７０  走行履歴収集センタ
１１  車両情報収集部
１２  走行履歴記録部
１３、７２  走行履歴ＤＢ
１４  走行履歴送信部
１５  渋滞区間判定部
１６、７３  道路情報ＤＢ
７１  走行履歴受信部
７４  交通情報生成部
７５  交通情報ＤＢ
１００  プローブカー
１０１  始点側交差点
１０２  終点側交差点
１０３ａ〜１０３ｃ  信号機
７０１  渋滞区間判定閾値Ｖｔｒａｆ以下となる地点
７０２  渋滞区間判定閾値Ｖｔｒａｆ以上となった地点
７０３ａ〜７０３ｅ  渋滞区間判定閾値Ｖｔｒａｆ以上となった状態の継続距離
【図１】
2006059058.tif 000003
【図２】
2006059058.tif 000004
【図３】
2006059058.tif 000005
【図４】
2006059058.tif 000006
【図５】
2006059058.tif 000007
【図６】
2006059058.tif 000008
【図７】
2006059058.tif 000009
【図８】
2006059058.tif 000010
【図９】
2006059058.tif 000011